(57)【特許請求の範囲】
【請求項１】
車室前部のインストルメントパネルに設けられ、開口した収容空間を有するクラスタ本体と、前記収容空間内の下部で前記クラスタ本体に設けられ、小物を収容する容器状の収容部とからなり、
前記収容部より上部にオーディオ機器を収容可能に前記収容空間を上下に区分する桟を、先端が前記クラスタ本体より後方に突出するように前記収容部に一体に形成して、前記桟の上面にクリップを設けるとともに、前記収容部を取り外し可能にしたことを特徴とするクラスタ構造。
【発明の詳細な説明】
【０００１】
【発明の属する技術分野】
本発明は、車室前部のインストルメントパネルに設けられ、オーディオ機器やＣＤ等の小物を収容するクラスタに関する。
【０００２】
【従来の技術】
従来、車室の前部には、図４に示すように、インストルメントパネル１０１が設けられており、インストルメントパネル１０１の中央部には、クラスタ１０２が設けられている（特開平５−３８９８８号公報参照）。
【０００３】
このクラスタ１０２は、クラスタ本体１０３の中央部に、開口した収容空間１０４を有しており、収容空間１０４を上下に区分する桟１０５がクラスタ本体１０３と一体に設けられている。桟１０５により、収容空間１０４は、それぞれ開口した上部収容空間１０４ａと下部収容空間１０４ｂからなる。上部収容空間１０４ａには、一階建てのオーディオ機器１１１を収容し、下部収容空間１０４ｂには、ＣＤ等の小物を収容する容器状の収容部１１２を設けている。
【０００４】
【発明が解決しようとする課題】
しかしながら、このクラスタ１０２において、クラスタ本体１０３の収容空間１０４に、一階建てのオーディオ機器１１１の二倍の高さの二階建てのオーディオ機器を収容する場合には、桟１０５がクラスタ本体１０３と一体に形成されているため、邪魔になって収容することができない。このため、一階建てのオーディオ機器１１１の二倍の高さの二階建てのオーディオ機器を収容するクラスタが別に必要となる。
【０００５】
したがって、クラスタを製造する際に、一階建てのオーディオ機器１１１を収容するクラスタと、一階建てのオーディオ機器１１１より高さが高い二階建てのオーディオ機器を収容するクラスタを、それぞれ製造しなければならないため、製造コストがかかる問題があった。
【０００６】
本発明は、かかる従来の課題に鑑みてなされたものであり、製造コストのかからないクラスタ構造を提供することを目的とする。
【０００７】
【課題を解決するための手段】
前記課題を解決するために本発明のクラスタ構造においては、車室前部のインストルメントパネルに設けられ、開口した収容空間を有するクラスタ本体と、前記収容空間内の下部で前記クラスタ本体に設けられ、小物を収容する容器状の収容部とからなり、前記収容部より上部にオーディオ機器を収容可能に前記収容空間を上下に区分する桟を、先端が前記クラスタ本体より後方に突出するように前記収容部に一体に形成して、前記桟の上面にクリップを設けるとともに、前記収容部を取り外し可能にしたものとしている。
【０００８】
かかる構成において、収容部がクラスタ本体に取り付けられた状態では、収容部に一体に形成された桟によって、収容部より上部にオーディオ機器を収容する収容空間が形成されているため、高さが低い一階建てのオーディオ機器を収容することができる。
【０００９】
そして、収容部をクラスタ本体から取り外すことにより、桟も一緒にクラスタ本体から取り外される。このため、収容部が取り外されたクラスタ本体の収容空間は、上下の区分がなくなって一つの収容空間となっているので、高さが高い二階建てのオーディオ機器を収容することができる。
【００１０】
また、桟の上面にクリップを設けることにより、チケットを挟むことができるため、桟が一体に形成された収容部を、小物を収容するための小物入れとして使用する他に、チケットホルダーとしても使用できるようになる。更に、桟の上面に手を載せることで、オーディオ機器のスイッチ類を操作し易くなる。
【００１１】
【発明の実施の形態】
以下、本発明の一実施の形態を図にしたがって説明する。
【００１２】
図１は、本発明の一実施の形態を示すインストルメントパネル１の斜視図であり、図２は図１のＡ−Ａ断面図である。このインストルメントパネル１は、右ハンドル仕様車の車室の前部に設けられている。
【００１３】
インストルメントパネル１の中央部には、本発明のクラスタ２が設けられている。このクラスタ２は、クラスタ本体３の中央部に開口した収容空間４を有している。収容空間４内の下部には、ＣＤ等の小物を収容する容器状の収容部５が、クラスタ本体３と取り外し可能に設けられている。
【００１４】
この収容部５には、図３にも示すように、開口した収容部収容空間６ａを有する収容部本体６に、収容部５より上部にオーディオ機器を収容するようにクラスタ本体３の収容空間４を上下に区分する桟７が一体に形成されている。桟７は、断面がコの字状であって、下部７ａが収容部本体６の上部６ｂから連続しており、先端７ｂがクラスタ本体３より後方に突出するように形成されている。桟７の上部７ｃは、収容部本体６の上部６ｂより上方に位置しており、上面７ｄにはクリップ８が設けられている。
【００１５】
そして、この桟７によって、クラスタ本体３の収容空間４は、桟７より上部、すなわち収容部５より上部に形成される上部収容空間４ａと、桟７より下部に形成される下部収容空間４ｂとからなる。上部収容空間４ａには、一階建てのオーディオ機器１０を収容し、下部収容空間４ｂには、収容部５の収容部収容空間６ａにＣＤ等の小物を収容するようになっている。
【００１６】
かかる構成において、収容部５をクラスタ本体３に取り付けた状態では、前述したように、収容部５に一体に形成された桟７によって、収容部５より上部に形成されている上部収容空間４ａに、一階建てのオーディオ機器１０を収容することができる。
【００１７】
そして、収容部５をクラスタ本体３から取り外すことにより、桟７も一緒にクラスタ本体３から取り外される。このため、収容部５が取り外されたクラスタ本体３の収容空間４は、上部収容空間４ａと下部収容空間４ｂの区分がなくなって一つの収容空間となっているので、一階建てのオーディオ機器１０より高さが高い二階建てのオーディオ機器を収容することができる。
【００１８】
よって、この一つのクラスタ２で、一階建てのオーディオ機器１０、または一階建てのオーディオ機器１０より高さが高い二階建てのオーディオ機器を収容することができる。したがって、クラスタを製造する際には、一階建てのオーディオ機器１０を収容するクラスタと、一階建てのオーディオ機器１０より高さが高い二階建てのオーディオ機器を収容するクラスタを、それぞれ製造する必要がなくなり、製造コストを抑えることができる。
【００１９】
また、桟７の上面７ｄにクリップ８を設けることにより、有料道路やコンサートや映画等のチケットを挟むことができるため、桟７が一体に形成されている収容部５を、小物を収容するための小物入れとして使用する他に、チケットホルダーとしても使用できるようになり、収容部５の使用価値を高めることができる。更に、桟７の上面７ｄに手を載せることで、オーディオ機器１０のスイッチ類を操作し易くなる。
【００２０】
【発明の効果】
以上説明したように本発明のクラスタ構造においては、収容部がクラスタ本体に取り付けられた状態では、収容部に一体に形成された桟によって、収容部より上部にオーディオ機器を収容する収容空間が形成されているため、高さが低い一階建てのオーディオ機器を収容することできる。
【００２１】
そして、収容部をクラスタ本体から取り外すことによって、桟も一緒にクラスタ本体から取り外される。このため、収容部が取り外されたクラスタ本体の収容空間は、上下の区分がなくなって一つの収容空間となっているので、高さが高い二階建てのオーディオ機器を収容することができる。
【００２２】
よって、この一つのクラスタで、高さが低い一階建てのオーディオ機器、または高さが高い二階建てのオーディオ機器を収容することができる。したがって、クラスタを製造する際には、高さが低い一階建てのオーディオ機器を収容するクラスタと、高さが高い二階建てのオーディオ機器を収容するクラスタを、それぞれ別々に製造する必要がなくなり、製造コストを抑えることができる。
【００２３】
また、桟の上面にクリップを設けることにより、チケットを挟むことができるので、桟が一体に形成されている収容部を、小物を収容する小物入れとして使用する他に、チケットホルダーとしても使用できるようになり、収容部の使用価値を高めることができる。更に、収容部より上部にオーディオ機器を収容する場合、桟の上面に手を載せることで、オーディオ機器のスイッチ類を操作し易くなる。
【図面の簡単な説明】
【図１】本発明の一実施の形態を示すインストルメントパネルの斜視図である。
【図２】図１のＡ−Ａ断面図である。
【図３】収容部の斜視図である。
【図４】従来のインストルメントパネルの斜視図である。
【符号の説明】
１    インストルメントパネル
２    クラスタ
３    クラスタ本体
４    収容空間
４ａ  上部収容空間
４ｂ  下部収容空間
５    収容部
７    桟
７ｂ  先端
７ｄ  上面
８    クリップ
１０  オーディオ機器
【図１】
0003576424.tif 000002
【図２】
0003576424.tif 000003
【図３】
0003576424.tif 000004
【図４】
0003576424.tif 000005